(57)【要約】【課題】  燃料ポンプや空気ポンプから発生する騷音を減少させることができる構造でポンプを固定させるポンプ固定具及びこれを採用した燃料電池を提供すること。【解決手段】  ポンプの駆動によって発生する震動を吸収する震動吸収部と、前記震動吸収部に一端が固定され、他端は前記ポンプに結合される第１結合部と、前記震動吸収部に一端が固定され、他端は燃料電池の本体プレートに結合される第２結合部と、で構成されるポンプ固定具が提供される。【選択図】  図５
2006242168.tif 000002
【特許請求の範囲】
【請求項１】
ポンプの駆動によって発生する震動を吸収する震動吸収部と；
前記震動吸収部に一端が固定され、他端は前記ポンプに結合される第１結合部と；
前記震動吸収部に一端が固定され、他端は燃料電池の本体プレートに結合される第２結合部と；で構成されることを特徴とするポンプ固定具。
【請求項２】
前記震動吸収部は、所定の弾性力を持つ弾性部材で構成されることを特徴とする、請求項１に記載のポンプ固定具。
【請求項３】
前記震動吸収部は、円筒形状で構成されることを特徴とする、請求項２に記載のポンプ固定具。
【請求項４】
前記震動吸収部は、ゴム製であることを特徴とする、請求項２または請求項３に記載のポンプ固定具。
【請求項５】
前記第１結合部と第２結合部は、
前記震動吸収部に固定される頭部と、
前記ポンプあるいは燃料電池の本体プレートに締結可能なねじ部と、で構成されてねじ締結されることを特徴とする、請求項１に記載のポンプ固定具。
【請求項６】
前記第１結合部と第２結合部は、前記震動吸収部の両端に前記頭部が互いに反対方向に対称となるように固定されることを特徴とする、請求項５に記載のポンプ固定具。
【請求項７】
前記第１結合部と第２結合部の頭部は、前記震動吸収部に所定深さに挿入されて固定されることを特徴とする、請求項６に記載のポンプ固定具。
【請求項８】
前記第１結合部と第２結合部は、前記震動吸収部に互いに反対方向に対称となるように固定されるが、第１結合部と第２結合部の間に所定間隔を置いて離隔されて固定されることを特徴とする、請求項５に記載のポンプ固定具。
【請求項９】
水素と酸素の電気化学的な反応を通じて電気エネルギーを発生させる少なくとも一つの電気発生部と；
燃料タンクに連結設置されて燃料を供給する燃料ポンプを具備した燃料供給部と；
酸化剤を前記電気発生部に供給する酸化剤供給ポンプを具備した酸化剤供給部と；で構成され、
前記燃料ポンプと酸化剤供給ポンプを燃料電池の本体プレートに結合してポンプの駆動によって発生する震動を吸収するためのポンプ固定具が設置されるが、
前記ポンプ固定具は、
ポンプの駆動によって発生する震動を吸収する震動吸収部と；
前記震動吸収部に一端が固定されて他端は前記ポンプに結合される第１結合部と；
前記震動吸収部に一端が固定されて他端は燃料電池の本体プレートに結合される第２結合部と；で構成されることを特徴とする燃料電池システム。
【請求項１０】
前記電気発生部で未反応された燃料を回収して再循環させるための再循環タンクと；
前記燃料タンクの燃料と前記再循環タンクの低濃度燃料を混合して供給する混合タンクと；をさらに含むことを特徴とする、請求項９に記載の燃料電池システム。
【請求項１１】
前記震動吸収部は、所定の弾性力を持つ弾性部材で構成されることを特徴とする、請求項９または請求項１０に記載の燃料電池システム。
【請求項１２】
前記震動吸収部は、円筒形状で構成されることを特徴とする、請求項１１に記載の燃料電池システム。
【請求項１３】
前記震動吸収部は、ゴム製であることを特徴とする、請求項１１に記載の燃料電池システム。
【請求項１４】
前記第１結合部と第２結合部は、
前記震動吸収部に固定される頭部と、
前記ポンプまたは燃料電池の本体プレートに締結可能なねじ部と、で構成されてねじ締結されることを特徴とする、請求項９に記載の燃料電池システム。
【請求項１５】
前記第１結合部と第２結合部は、前記震動吸収部の両端に前記頭部が互いに反対方向に対称となるように固定されることを特徴とする、請求項１４に記載の燃料電池システム。
【請求項１６】
前記第１結合部と第２結合部の頭部は、前記震動吸収部に所定深さに挿入されて固定されることを特徴とする、請求項１５に記載の燃料電池システム。
【請求項１７】
前記第１結合部と第２結合部は、前記震動吸収部に互いに反対方向に対称となるように固定されるが、第１結合部と第２結合部の間に所定間隔を置いて離隔されて固定されることを特徴とする、請求項１４に記載の燃料電池システム。
【請求項１８】
前記燃料供給部は、
前記燃料タンクと電気発生部の間に配置されて前記燃料タンクから燃料の供給を受けて水素ガスを発生させ、この水素ガスを電気発生部に供給する改質器を含むことを特徴とする、請求項９に記載の燃料電池システム。
【発明の詳細な説明】
【技術分野】
【０００１】
本発明は、ポンプ固定具及びこれを採用した燃料電池に関し、より詳細には、燃料ポンプや空気ポンプから発生する騷音を減少させることができる構造でポンプを固定させるポンプ固定具及びこれを採用した燃料電池に関する。
【背景技術】
【０００２】
燃料電池はメタノール、エチルアルコール、天然気体のような炭化水素系列の物質内に含有されている水素と酸素の化学反応エネルギーを直接電気エネルギーに変換させる発電システムによって作動する温度によって高温型燃料電池と低温型燃料電池に分類される。
【０００３】
この中で前記低温型燃料電池としては高分子電解質燃料電池(PEMFC:Polymer Electrolyte Membrane Fuel Cell)、直接液体燃料電池(DLFC:Direct Liquid Feed Fuel Cell)が挙げられる。
【０００４】
前記直接液体燃料電池で燃料としてメタノールを使用する場合は、直接メタノール燃料電池(DMFC: Direct Methanol Fuel Cell 、以下、DMFC)という。
【０００５】
前記高分子電解質型燃料電池(Polymer Electrolyte Membrane Fuel Cell : PEMFC、以下、PEMFC)は、出力特性が卓越で作動温度が低く、同時に速い始動及び応答特性を持つところ、自動車のような移動用電源は勿論、住宅、公共建物のような分散用電源及び電子機器用のような小型電源など、その応用範囲が広いという長所を持つ。
【０００６】
前記のようなＰＥＭＦＣ方式を採用した燃料電池システムは、スタック(stack)、改質器(Reformer)、燃料タンク、燃料ポンプ、及び空気ポンプなどを具備する。
【０００７】
スタックは複数の単位セルからなる電気発生集合体を形成し、燃料ポンプは燃料タンク内の燃料を改質器に供給する。改質器は燃料を改質して水素ガスを発生させてこの水素ガスをスタックに供給する。そうすると、スタックでは前記水素ガスと空気の中に含有された酸素を電気化学的に反応させて電気エネルギーを発生させる。
【０００８】
一方、ＤＭＦＣは上述したＰＥＭＦＣと同じ構造や、反応燃料として水素気体の代りに液体状態のメタノールを直接使用するため、燃料改質器など周辺装置が必要ではなくて超小型化が可能であり、燃料の保存及び取り扱いが容易で、常温で作動可能なので無公害自動車、家庭用発電システム、移動通信装備、医療機器、軍事用装備、宇宙事業用装備などに使用することができ、その応用分野が非常に多様である。
【０００９】
前記のような燃料電池システムにおいて、電気を実質的に発生させるスタックは、膜−電極アセンブリー(Membrane Electrode Assembly : MEA、以下、MEA)とセパレーター(Bipolar Plate)からなる単位のセルが数個ないし数十個に積層された構造でなる。
【００１０】
ここで、ＭＥＡは電解質膜を間に置いてアノード電極とカソード電極が附着された構造を持つ。そして、セパレーターは水素ガスと空気をＭＥＡに供給する役割と、各ＭＥＡのアノード電極とカソード電極を直列連結させてくれる伝導体の役割を同時に遂行する。
【００１１】
したがって、セパレーターによってアノード電極には水素ガスが供給される一方、カソード電極には空気が供給される。この過程でアノード電極では水素ガスの酸化反応が起き、カソード電極では酸素の還元反応が起き、この時生成される電子の移動によって電気と熱、そして水を同時に得ることができる。
【００１２】
このような燃料電池システムは、スタック、燃料ポンプ、及び空気ポンプなどそれぞれの装置が燃料電池ケース内部所定の位置に設置されて前記装置がパッケージングされている。
【００１３】
ところが、このような従来の燃料電池システムによれば、前記燃料ポンプ及び空気ポンプの駆動によって騷音及び震動が発生する。
【００１４】
ここで、騷音は主にポンプ内のモーターの回転や圧力によって発生され、震動はポンプ内のモーターの回転及び圧力によって上下または左右繰り返し運動であり、この震動が燃料電池のケースなどに伝達されて騷音が大きく発生するのである。
【００１５】
燃料電池での騷音と震動は、燃料電池の正常駆動を邪魔し、結局燃料電池の寿命を縮めることができる。
【００１６】
さらに、燃料電池の適用分野がノート・パンコン、ポータブルＤＶＤプレーヤー、  ＰＤＡ(personal digital assistant)、携帯電話、キャムコーダなどの小型モバイル機器に拡がる場合、燃料電池の騷音と震動は使用者に大きな不便を与えるので燃料電池の騷音発生は防止しなければならない。
【００１７】
一方、従来の燃料電池システムに関する技術を記載した文献としては、下記特許文献１等がある。
【００１８】
【特許文献１】特開平０９−８８８２１号公報
【発明の開示】
【発明が解決しようとする課題】
【００１９】
本発明は、上述した問題点を勘案して案出されたもので、燃料ポンプあるいは空気ポンプの駆動時発生する震動を吸収して騷音を大きく改善することによって、燃料電池の使用者の便宜性を高めることができるポンプ固定具が具備された燃料電池を提供することをその目的とする。
【課題を解決するための手段】
【００２０】
前記のような目的を果たすための本発明によるポンプ固定具は、ポンプの駆動によって発生する震動を吸収する震動吸収部と、前記震動吸収部に一端が固定されて他端は前記ポンプに結合される第１結合部と、前記震動吸収部に一端が固定されて他端は燃料電池の本体プレートに結合される第２結合部と、で構成されるポンプ固定具が提供される。
【００２１】
ここで、前記震動吸収部は所定の弾性力を持つ弾性部材で構成されて、円筒形状で構成することが望ましい。
【００２２】
また、前記震動吸収部はゴム材質製とすることができる。
【００２３】
また、前記第１結合部と第２結合部は前記震動吸収部に固定される頭部と、前記ポンプあるいは燃料電池の本体プレートに締結可能なねじ部と、で構成されてねじ締結でポンプと燃料電池の本体プレートに結合される。
【００２４】
ここで、前記第１結合部と第２結合部は前記震動吸収部の両端に前記頭部が互いに反対方向に対称となるように固定され、この場合前記第１結合部と第２結合部の頭部は前記震動吸収部に所定深さに挿入することも可能である。
【００２５】
また、前記第１結合部と第２結合部は前記震動吸収部に互いに反対方向に対称となるように固定されるが、第１結合部と第２結合部の間に所定間隔を置いて離隔されて固定することも可能である。
【００２６】
同時に、前記のような目的を果たすための本発明による燃料電池システムは、水素と酸素の電気化学的な反応を通じて電気エネルギーを発生させる少なくとも一つの電気発生部と、燃料タンクに連結設置されて燃料を供給する燃料ポンプを具備した燃料供給部と、酸化剤を前記電気発生部に供給する酸化剤供給ポンプを具備した酸化剤供給部で構成され、前記燃料ポンプと酸化剤供給ポンプを燃料電池の本体プレートに結合してポンプの駆動によって発生する震動を吸収するためのポンプ固定具が設置されるが、前記ポンプ固定具はポンプの駆動によって発生する震動を吸収する震動吸収部と、前記震動吸収部に一端が固定されて他端は前記ポンプに結合される第１結合部と、前記震動吸収部に一端が固定されて他端は燃料電池の本体プレートに結合される第２結合部と、で構成される。
【００２７】
このような本発明による燃料電池システムは、前記電気発生部で未反応の燃料を回収して再循環させるための再循環タンクと、前記燃料タンクの燃料と前記再循環タンクの低濃度燃料を混合して供給する混合タンクと、をさらに含んで構成することができる。
【００２８】
また、前記燃料供給部は、前記燃料タンクと電気発生部の間に配置されて前記燃料タンクから燃料の供給を受けて水素ガスを発生させ、この水素ガスを電気発生部に供給する改質器を含むことも可能である。
【発明の効果】
【００２９】
上述したように本発明による燃料電池システムによれば、燃料ポンプあるいは空気ポンプの駆動時発生する震動を吸収して騷音を大きく減少させることで、燃料電池の作動環境を改善させることができるという効果を奏する。
【発明を実施するための最良の形態】
【００３０】
以下、添付した図面を参照にして本発明の実施形態に対して当業者が容易にく実施するように詳しく説明する。しかし、本発明はいろいろ相異なる形態に具現することができ、ここで説明する実施形態に限定されない。
【００３１】
添付の図１は、本発明の実施形態による燃料電池システムの全体的な構成を概略的に図市したブロック図である。
【００３２】
この図面を参照して本発明による燃料電池システムを説明すれば、この燃料電池システムは、燃料を直接スタックに供給して電気を生産し得る直接メタノール型燃料電池(Direct Methanol Fuel Cell: DMFC)方式を採用する。
【００３３】
このような燃料電池システムにおいて電気を発生させるための燃料とはメタノールを意味する。
【００３４】
そして、本システムは水素と反応する酸素として別途の保存手段に保存された純粋な酸素ガスを使用することができ、酸素を含む空気をそのまま使用することも可能である。しかし、以下では後者の例を説明する。
【００３５】
本発明の燃料電池システムは、水素と酸素の電気化学的な反応を通じて電気エネルギーを発生させる少なくとも一つの電気発生部１１と、前記燃料を前記電気発生部１１に供給する燃料供給源と、前記電気発生部１１に酸素を供給する酸素供給源と、を含んでなる。
【００３６】
前記電気発生部１１は、燃料供給源に連結設置されてメタノールの供給を受け、酸素供給源から酸素の供給を受けて前記水素中の水素と酸素を電気化学的に反応させて電気エネルギーを発生させる最小単位の燃料電池で構成される。
【００３７】
このような電気発生部１１は、膜−電極アセンブリー(Membrane-Electrode assembly: MEA、以下、“MEA”と称する)１２を中心においてこれの両面にセパレーター（当業界では“バイポーラータイプレート(Bipolar Plate)”とも言う）１６を配置して構成することができる。このような電気発生部１１を複数具備してこれらの電気発生部１１を連続配置することで、電気発生部１１の集合体であるスタック６を形成することができる。
【００３８】
前記燃料供給源は、液状の燃料を保存する第１タンク１と、前記第１タンク１に連結設置される燃料ポンプ３と、を含む。
【００３９】
そして、前記酸素供給源は所定のポムピング力によって空気を吸いこみ、この空気を前記電気発生部１１にそれぞれ供給する空気ポンプ２０を含む。
【００４０】
前記のように構成された本発明の燃料電池システムの作用時、燃料ポンプ３から送られる燃料と空気ポンプ２０によって吸入される空気と、を電気発生部１１に供給するようにすれば、この電気発生部１１では燃料中の水素と空気の中に含有された酸素の電気化学反応を通じて電気と水そして熱を発生させる。
【００４１】
ここで、本発明の直接メタノール型燃料電池は、前記スタック６で未反応の燃料を回収して再循環させるための再循環タンク（図示せず）と、前記第１タンク１の高濃度燃料と前記再循環タンクの低濃度燃料を混合して供給する混合タンク（図示せず）と、をさらに具備することができる。
【００４２】
また、本発明による燃料電池システムは前述した水素を含む燃料を改質して水素ガスを発生させ、この水素ガスと酸素を電気化学的に反応させて電気エネルギーを発生させる高分子電解質型燃料電池(Polymer Electrode Membrane Fuel Cell; PEMFC)方式を採用することもできる。このような高分子電解質型燃料電池は前述した直接メタノール型燃料電池と違って改質器を要する。
【００４３】
このような本発明の燃料電池システムにおいて、前記空気ポンプ２０あるいは燃料ポンプ３は、燃料電池のケースあるいは別途のプレートに、直接、固定されてパッケージングされる構造を持っており、この場合前記空気ポンプ２０あるいは燃料ポンプ３と前記プレートの間にはポンプの動作による震動を吸収して騷音を防止するポンプ固定具が設置される。
【００４４】
添付の図２は本発明によるポンプ固定具の第１実施形態を図市した斜視図であり、図３は本発明によるポンプ固定具の第１実施形態を図示した正面図であり、本発明によるポンプ固定具５０は空気ポンプ２０あるいは燃料ポンプ３の駆動によって発生する震動を吸収する震動吸収部５１と、前記震動吸収部５１の一端に固定されて前記ポンプ３、２０に結合される第１結合部５２と、前記震動吸収部５１の他端に固定されて燃料電池のプレートに結合される第２結合部５３と、で構成される。
【００４５】
ここで、前記震動吸収部５１はポンプの震動を吸収するように所定の弾性力を持つ弾性部材が適用される。
【００４６】
前記弾性部材としては、弾性ゴム、軟質成形樹脂などの多様な材質が使用可能であり、望ましくは、弾性ゴムが適用される。しかし、本発明はこれに限定されない。
【００４７】
また、本発明の実施形態では前記第１結合部５２と第２結合部５３としてねじを適用した。すなわち、前記第１結合部５２と第２結合部５３は前記震動吸収部５１に固定される頭部５２ａ、５３ａと、前記ポンプ３、２０及び燃料電池の本体プレートに結合されるねじ部５２ｂ、５３ｂで構成されるねじであり、前記ねじ部５２ｂ、５３ｂのねじ締結によりポンプ３、２０と燃料電池の本体プレートと、に結合される。
【００４８】
ここで、本発明の第１実施形態の前記第１結合部５２と第２結合部５３は、前記震動吸収部５１の両端に前記頭部５２ａ、５３ａが互いに反対方向に対称となるように固定され、前記震動吸収部５１に所定深さに挿入されて固定される構造を持つ。
【００４９】
すなわち、前記第１結合部５２と第２結合部５３の頭部５２ａ、５３ａが前記震動吸収部５１に所定深さに挿入されて前記震動吸収部５１の一端及び他端には前記ねじ部５２ｂ、５３ｂが突出する。
【００５０】
ここで、前記第１結合部５２と第２結合部５３の頭部５２ａ、５３ａは前記震動吸収部５１の両端に接着剤によって接着される方法で固定することができ、この場合、前記震動吸収部５１の両端には前記頭部５２ａ、５３ａの外径と同じ大きさのホーム（図示せず）を形成して前記頭部５２ａ、５３ａを接着させる。
【００５１】
また、前記震動吸収部５１が弾性ゴム、軟質成形樹脂などの弾性部材なので、前記震動吸収部５１の形成時、前記第１結合部５２と第２結合部５３の頭部５２ａ、５３ａを前記震動吸収部５１に所定深さで挿入して形成することで、一体型にすることもできる。
【００５２】
このような本発明によるポンプ固定具５０は、前記ねじ部５２ｂ、５３ｂの螺子山方向が反対方向になって、前記ポンプ固定具５０を一方向に回転させれば両側のねじ部５２ｂ、５３ｂが同時に締結される構成である。
【００５３】
すなわち、一端の第１結合部５２が空気ポンプ２０あるいは燃料ポンプ３に結合され、他端の第２結合部５３が燃料電池のケースあるいは別に設置されるプレートに結合されて前記空気ポンプ２０あるいは燃料ポンプ３をプレートに固定することができる。
【００５４】
添付の図４ａ及び図４ｂは、本発明のポンプ固定具が設置される燃料電池の要部を図示した斜視図であり、図５は本発明のポンプ固定具が設置された燃料電池の要部を図示した結合断面図であり、空気を吸いこんでスタック６などに供給する空気ポンプ２０が燃料電池の本体プレート６０に結合されている状態を表す。
【００５５】
図面では円筒形状の空気ポンプ２０が燃料電池のプレート６０に垂直（直角）に立てられて結合される構造を例としてあげて図示したが、本発明ではポンプを円筒状の空気ポンプ２０に限定せず、前記空気ポンプ２０のみならず燃料ポンプを固定させる場合においても適用が可能であることは勿論である。
【００５６】
また、場合によっては前記空気ポンプ２０を燃料電池ケースの上面あるいは下面を成すプレート（図示せず）に設置することができ、この場合にも本発明のポンプ固定具５０が適用可能である。
【００５７】
前記空気ポンプ２０は、円筒状の外筒２１を具備し、電力を供給するための電線２２が設置され、上部から流入される空気をスタック６に供給する排出官２３が下部に繋がれている。
【００５８】
このような空気ポンプ２０は、前記プレート６０に前記ポンプ固定具５０によって結合されるが、図５のように、前記ポンプ固定具５０の第１結合部５２のねじ部５２ｂが空気ポンプ２０の外筒２１にねじ締結され、前記第２結合部５３のねじ部５３ｂは前記プレート６０にねじ締結されて前記空気ポンプ２０をプレート６０に固定させる。
【００５９】
この場合、前記ポンプ固定具５０の前記第１結合部５２と第２結合部５３の頭部５２ａ、５３ａ及び震動吸収部５１が前記空気ポンプ２０とプレート６０の間に挟まれるので、前記空気ポンプ２０はプレート６０にやや離隔して設置される。
【００６０】
また、前記プレート６０には前記ねじ部５３ｂが結合するためのねじ孔（図示せず）が形成され、前記空気ポンプ２０の外筒２１にも前記第１結合部５２のねじ部５２ｂが結合するためのねじ孔（図示せず）が形成される。
【００６１】
ここで、前記ポンプ固定具５０の結合をより堅固にするために前記第１結合部５２のねじ部５２ｂ及び前記第２結合部５３のねじ部５３ｂにはナット７０を締結することができる。
【００６２】
前記ポンプ固定具５０は、空気ポンプ２０の上部側と下部側の２ヶ所に固定することが望ましく、必要によってさらに多くの設置が可能である。
【００６３】
このように前記ポンプ固定具５０によってプレート６０に固定設置された空気ポンプ２０は、前記プレート６０にさらに堅固に固定されるためにも図４のように、圧迫バンド３０をかけてプレート６０に設置することができる。
【００６４】
前記のように構成された本発明の燃料電池システムは、装置が駆動して前記空気ポンプ２０の震動が発生しても前記ポンプ固定具５０によって前記空気ポンプ２０とプレート６０が離隔されて設置されているので、前記空気ポンプ２０の震動がプレート６０に伝達されなくて騷音が発生することを防止する。
【００６５】
また、前記ポンプ固定具５０の中央に弾性力を持つ震動吸収部５１が具備しているので、前記第１結合部５２が空気ポンプ２０の震動によって震動しても前記震動吸収部５１で震動を吸収して前記プレート６０に震動を伝達しないので、ポンプの震動による騷音の発生を大きく減少させる。
【００６６】
本発明によるポンプ固定具５０は、上述した高分子電解質燃料電池ＰＥＭＦＣ及び直接メタン来る燃料電池ＤＭＦＣのいずれにも適用可能である。
【００６７】
一方、添付の図６は、本発明によるポンプ固定具の第２実施形態が設置された燃料電池の要部を図示した結合断面図であり、前記ポンプ固定具８０は、ポンプの駆動によって発生する震動を吸収する震動吸収部８１と、前記震動吸収部８１に一端が固定されて他端は前記ポンプ２０に結合される第１結合部８２と、前記震動吸収部８１に一端が固定されて他端は燃料電池の本体プレート６０に結合される第２結合部８３と、で構成される。
【００６８】
ここで、前記震動吸収部８１も同様に所定の弾性力を持つ弾性部材であり、弾性ゴム、軟質成形樹脂などが適用可能であり、円筒形状で構成することが望ましい。
【００６９】
また、前記第１結合部８２と第２結合部８３は、前記震動吸収部８１に固定される頭部８２ａ、  ８３ａと、前記ポンプ２０及び燃料電池の本体プレート６０に結合されるねじ部８２ｂ、８３ｂと、で構成され、ねじ締結によってポンプ２０と燃料電池の本体プレート６０に結合される。
【００７０】
ここで、前記第１結合部８２と第２結合部８３は、前記震動吸収部８１に互いに反対方向に対称となるように固定されるが、第１結合部８２と第２結合部８３の間に所定間隔を置いて離隔して固定される構造を持つ。
【００７１】
また、前記プレート６０には前記ねじ部８３ｂを結合するためのねじ孔（図示せず）と前記第１結合部８２を挿入するための結合孔６０ａと、が形成され、前記空気ポンプ２０の外筒２１にも前記第１結合部８２のねじ部８２ｂを結合するためのねじ孔（図示せず）が形成される。
【００７２】
このようなポンプ固定具８０は、前記プレート６０に第２結合部８３をねじ締結で先に結合させた後、前記第１結合部８２を前記結合孔６０ａを通過して前記空気ポンプ２０の外筒２１に結合させることで前記空気ポンプ２０をプレート６０に固定させる。
【００７３】
ここで、前記ポンプ固定具の結合をより堅固にするために前記第１結合部８２のねじ部８２ｂ及び前記第２結合部８３のねじ部８３ｂにはナット７０を締結することができる。
【００７４】
このような本発明の第２実施形態は、前記空気ポンプ２０の駆動によって震動が発生しても弾性力を持つ震動吸収部８１で震動を吸収して空気ポンプ２０の震動が前記プレート６０に伝達されないので、騷音の発生を大きく減らすことができ、前述の本発明の第１実施形態と同じ効果を奏することができる。
【００７５】
添付の図７は、本発明によるポンプ固定具の第３実施形態を図示した正面図であり、ポンプの駆動によって発生する震動を吸収する震動吸収部４１と、前記震動吸収部４１の一端に固定されて前記震動吸収部４１をポンプに結合するための第１結合部４２と、前記震動吸収部４１の他端に固定されて前記震動吸収部４１を燃料電池の本体プレートに結合するための第２結合部４３と、で構成される。
【００７６】
ここで、前記震動吸収部４１も同様に所定の弾性力を持つ弾性部材であり、弾性ゴム、軟質成形樹脂などが適用可能であり、円筒形状に構成することが望ましい。
【００７７】
また、前記第１結合部４２と第２結合部４３は、前記震動吸収部４１に固定される頭部４２ａ、  ４３ａと、前記ポンプ及び燃料電池の本体プレートに結合されるねじ部４２ｂ、４３ｂと、で構成されるねじであり、ねじ締結によってポンプと燃料電池の本体プレートと、に結合される。
【００７８】
ここで、前記震動吸収部４１は第１結合部４２と第２結合部４３の頭部４２ａ、４３ａと同じ直径を持つ円筒形状に構成することが望ましい。
【００７９】
この場合、前記第１結合部４２と第２結合部４３の頭部４２ａ、４３ａは、前記震動吸収部４１に接着剤によって接着する方法によって固定することができる。
【００８０】
このような本発明の第３実施形態も同様に前記空気ポンプ２０の駆動で震動が発生しても弾性力を持つ震動吸収部４１で震動を吸収して騷音の発生を大きく減らすことができる。
【００８１】
上述したように、本発明の詳細な説明と図は、単なる本発明の例示的なものであり、これは単に本発明を説明するための目的で使用されたものであって、意味限定や特許請求の範囲に記載された本発明の範囲を制限するために使用したものではない。よって、前記説明した内容を介して、当業者であれば、本発明の技術思想を逸脱しない範囲で多様な変更及び修正が可能であることが分かる。
【図面の簡単な説明】
【００８２】
【図１】本発明による燃料電池システムの全体的な構成を概略的に図示したブロック図である。
【図２】本発明によるポンプ固定具の第１実施形態を図示した斜視図である。
【図３】本発明によるポンプ固定具の第１実施形態を図示した正面図である。
【図４ａ】本発明のポンプ固定具が設置される燃料電池の要部を図示した斜視図である。
【図４ｂ】本発明のポンプ固定具が設置される燃料電池の要部を図示した斜視図である。
【図５】本発明によるポンプ固定具の第１実施形態が設置された燃料電池の要部を図示した結合断面図である。
【図６】本発明によるポンプ固定具の第２実施形態が設置された燃料電池の要部を図示した結合断面図である。
【図７】本発明によるポンプ固定具の第３実施形態を図示する正面図である。
【符号の説明】
【００８３】
１；  第１タンク
３；  燃料ポンプ
６；  スタック
１１；  電気発生部
１２；  膜−電極アセンブリー
１６；  セパレーター
２０；  空気ポンプ
２１；  外筒
２２；  電線
２３；  排出管
３０；  圧迫バンド
４０；  ポンプ固定具
４１；  振動吸収部
４２；  第１結合部
４２ａ、４３ａ；  頭部
４２ｂ、４３ｂ；  ねじ部
４３；  第２結合部
５０；  ポンプ固定具
５１；  振動吸収部
５２；  第１結合部
５２ａ、５３ａ；  頭部
５２ｂ、５３ｂ；  ねじ部
５３；  第２結合部
６０；本体プレート
７０；  ナット部
８０；  ポンプ固定具
８１；  振動吸収部
８２；  第１結合部
８２ａ、８３ａ；  頭部
８２ｂ、８３ｂ；  ねじ部
８３；  第２結合部
【図１】
2006242168.tif 000003
【図２】
2006242168.tif 000004
【図３】
2006242168.tif 000005
【図４ａ】
2006242168.tif 000006
【図４ｂ】
2006242168.tif 000007
【図５】
2006242168.tif 000008
【図６】
2006242168.tif 000009
【図７】
2006242168.tif 000010